(57)【要約】      （修正有）【課題】タッチ検出を行い画像データを提供する入力装置を表示装置に組み込む。【解決手段】表示装置内の１つ以上の表示画素の表示制御信号を決定するステップ７１０と、検出領域の静電容量走査に対応する静電容量検出制御信号を決定するステップ７２０であって、静電容量走査が表示装置内に配置された複数の検出要素を使用して検出領域内の１つ以上の入力オブジェクトの位置を検出するステップと、表示制御信号と静電容量検出制御信号を含む多重化信号を生成するステップ７３０とを含み、多重化信号が表示装置内に配置されたデマルチプレクサを使用して、表示装置に静電容量走査を実行させて１つ以上の表示画素を更新させる。【選択図】図７
2019194676.tif 000002
【特許請求の範囲】
【請求項１】
デマルチプレクサ、複数の表示画素及び複数の検出要素を有する表示装置と、
前記表示装置に結合された処理システムと、を有し、
前記処理システムが、表示制御信号と静電容量検出制御信号を含む多重化信号を生成するように構成され、
前記表示装置が、前記デマルチプレクサと前記多重化信号を使用して、前記複数の検出要素を使用する検出領域の静電容量走査を実行し、前記複数の表示画素の１つ以上の表示画素を更新するように構成された電子システム。
【請求項２】
前記表示装置内の前記処理システムと前記デマルチプレクサに結合されたマルチプレクサを更に備え、
前記マルチプレクサが、前記マルチプレクサへの入力として前記表示制御信号と前記静電容量検出制御信号を使用して前記多重化信号を生成するように構成された、請求項１に記載の電子システム。
【請求項３】
前記デマルチプレクサが、更に、前記多重化信号に少なくとも部分的に基づいて、前記表示制御信号を生成するように構成され、
前記表示信号が、前記複数の表示画素の１つ以上の表示画素の輝度の大きさを調整するように構成された、請求項１に記載の電子システム。
【請求項４】
前記デマルチプレクサが、更に、前記多重化信号に少なくとも部分的に基づいて、前記静電容量検出制御信号を生成するように構成され、
前記表示装置が、前記静電容量検出制御信号に対応する前記複数の検出要素のうちの少なくとも１つのトランスミッタ電極を介して１つ以上の検出信号を送るように構成された、請求項１に記載の電子システム。
【請求項５】
前記マルチプレクサと、前記複数の検出要素及び前記複数の表示画素を含む表示装置の一部分とに結合された共通バスを備え、
前記マルチプレクサが、更に、前記共通バスによって前記多重化信号を前記表示装置の一部分に送るように構成された、請求項１に記載の電子システム。
【請求項６】
前記多重化信号が、所定のフレーム中に複数の複数の周期を含む電圧信号であり、前記複数の周期が、前記静電容量走査を実行する近接検出周期を含み、
前記複数の周期が、更に、前記複数の表示画素を更新するための複数の表示画素周期を含む、請求項１に記載の電子システム。
【請求項７】
前記多重化信号が、前記近接検出周期中に、前記複数の検出要素によって送られた１つ以上の保護信号の複数の変調振幅に対応する変調波形を含む、請求項６に記載の電子システム。
【請求項８】
前記表示装置が、有機発光ダイオード（ＯＬＥＤ）表示装置であり、
前記複数の表示画素が、前記ＯＬＥＤ表示装置のアクティブマトリクスの緑サブ画素、赤サブ画素及び青サブ画素を含む、請求項１に記載の電子システム。
【請求項９】
前記複数の表示画素と前記複数の検出要素が、複数の薄膜トランジスタ（ＴＦＴ）に対応し、
前記多重化信号が、前記複数のＴＦＴに結合された複数のソース線に所定の電圧を印加して前記複数の表示画素の１つ以上の表示画素を更新し、前記静電容量走査を実行するように構成された、請求項１に記載の電子システム。
【請求項１０】
前記複数の検出要素が、マトリクス電極アレイの少なくとも一部分であり、
前記複数の検出要素が、複数のレシーバ電極と複数のトランスミッタ電極とを有し、
前記多重化信号が、前記複数のトランスミッタ電極に沿って１つ以上の検出信号を生成するように構成され、
前記処理システムが、前記複数のレシーバ電極から１つ以上の結果信号を得るように構成された、請求項１に記載の電子システム。
【請求項１１】
前記処理システムに結合された複数のマルチプレクサを更に有し、
前記複数のマルチプレクサが、複数のそれぞれの多重化信号を表示装置の複数のそれぞれの領域に送るように構成された、請求項１に記載の電子システム。
【請求項１２】
前記処理システムに結合されたホスト装置であって、図形処理ユニットを含むホスト装置を更に有し、
前記図形処理ユニットが、表示更新コマンドを前記処理システムに送るように構成され、
前記ホスト装置が、前記処理システムから、前記検出領域の前記静電容量走査に応じて前記検出領域内の１つ以上の入力オブジェクトの位置に関する位置情報を得るように構成された、請求項１に記載の電子システム。
【請求項１３】
前記表示装置が表示パネルである、請求項１に記載の電子システム。
【請求項１４】
決定モジュールであって、
表示装置内の１つ以上の表示画素の表示制御信号を決定し、
検出領域の静電容量走査に対応する静電容量検出制御信号を決定し、前記静電容量走査が、前記表示装置内に配置された複数の検出要素を使用して検出領域内の１つ以上の入力オブジェクトの位置を検出するように構成された、決定モジュールと、
センサ回路を含むセンサモジュールであって、
前記表示制御信号と前記静電容量検出制御信号を含む多重化信号を生成するように構成され、
前記多重化信号が、前記表示装置内に配置されたデマルチプレクサを使用して、前記表示装置に前記静電容量走査を実行させて前記１つ以上の表示画素を更新させるように構成された、センサモジュールと、を有する、処理システム。
【請求項１５】
前記センサモジュールが、更に、前記多重化信号を前記表示装置内のデマルチプレクサに送るように構成された、請求項１４に記載の処理システム。
【請求項１６】
マルチプレクサを更に有し、
前記マルチプレクサが、前記マルチプレクサへの入力として、前記表示制御信号と前記静電容量検出制御信号を使用して前記多重化信号を生成するように構成された、請求項１４に記載の処理システム。
【請求項１７】
前記多重化信号が、所定のフレーム内に複数の複数の周期を含む電圧信号であり、
前記複数の周期が、前記静電容量走査を実行するための近接検出周期を含み、
前記複数の周期が、更に、前記複数の表示画素を更新するための複数の表示画素周期を含む、請求項１４に記載の電子システム。
【請求項１８】
前記多重化信号が、前記近接検出周期中に、前記複数の検出要素によって送られた１つ以上の保護信号の複数の変調振幅に対応する変調波形を含む、請求項１４に記載の処理システム。
【請求項１９】
表示装置内の１つ以上の表示画素の表示制御信号を決定するステップと、
検出領域の静電容量走査に対応する静電容量検出制御信号を決定するステップであって、前記静電容量走査が、前記表示装置内に配置された複数の検出要素を使用して検出領域内の１つ以上の入力オブジェクトの位置を検出するステップと、
前記表示制御信号と前記静電容量検出制御信号を含む多重化信号を生成するステップとを含み、
前記多重化信号が、前記表示装置内に配置されたデマルチプレクサを使用して、前記表示装置に前記静電容量走査を実行させて前記１つ以上の表示画素を更新させるように構成された、方法。
【請求項２０】
前記多重化信号を前記表示装置内の前記デマルチプレクサに送るステップを更に含む、請求項１９に記載の方法。
【発明の詳細な説明】
【技術分野】
【０００１】
この開示技術は、一般に電子装置に関し、特に静電容量検出マトリクス電極アレイに関する。
【背景技術】
【０００２】
近接センサデバイス（一般にタッチパッド又はタッチセンサデバイスとも呼ばれる）を含む入力装置は、様々な電子システムに広く使用されている。近接センサデバイスは、典型的には、しばしば面で区分された検出領域を含み、その領域内で、近接センサデバイスは、１つ以上の入力オブジェクトの存在、位置及び／又は動きを決定する。近接センサデバイスは、電子システムのインタフェースを提供するために使用されうる。例えば、近接センサデバイスは、より大きい計算処理システムの入力装置（ノートブック又はデスクトップコンピュータに組み込まれるかその周辺装置の不透明タッチパッドなど）としてしばしば使用される。近接センサデバイスは、しばしばより小さい計算処理システム（携帯電話に組み込まれたタッチスクリーンなど）にも使用される。
【０００３】
更に、入力装置は、タッチ検出を行い画像データを提供する表示装置に組み込まれうる。しかしながら、表示パネルと入力装置を作動させる回路の間には有限数のトレースしか配置できない。従って、多くの表示装置は、表示パネル内に配置でき表示パネル外の構成要素とも通信できるハードウェアの数によって制限される。
【発明の概要】
【課題を解決するための手段】
【０００４】
一般に、一態様において、開示技術は、電子システムに関する。電子システムは、デマルチプレクサ、種々の表示画素及び種々の検出要素を含む表示装置を含む。電子システムは、更に、表示装置に結合された処理システムを含む。処理システムは、表示制御信号と静電容量検出制御信号を含む多重化信号を生成する。表示装置は、デマルチプレクサと多重化信号を使用して、検出要素を使用する検出領域の静電容量走査を実行し、表示画素を更新する。
【０００５】
一般に、一態様において、開示技術は、処理システムに関する。処理システムは、表示装置内の表示画素のための表示制御信号を決定する決定モジュールを含む。決定モジュールは、更に、検出領域の静電容量走査に対応する静電容量検出制御信号を決定する。静電容量走査は、表示装置内に配置された種々の検出要素を使用して検出領域内の入力オブジェクトの位置を検出する。処理システムは、更に、センサ回路を含むセンサモジュールを含む。センサモジュールは、表示制御信号と静電容量検出制御信号を含む多重化信号を生成する。多重化信号は、表示装置内に配置されたデマルチプレクサを使用して、表示装置に静電容量走査を実行させて表示画素を更新させる。
【０００６】
一般に、一態様において、開示技術は方法に関する。方法は、表示装置内の表示画素の表示制御信号を決定することを含む。方法は、更に、検出領域の静電容量走査に対応する静電容量検出制御信号を決定することを含む。静電容量走査は、表示装置に配置された種々の検出要素を使用して、検出領域内の入力オブジェクトの位置を検出する。方法は、更に、表示制御信号と静電容量検出制御信号を含む多重化信号を生成することを含む。多重化信号は、表示装置内に配置されたデマルチプレクサを使用して、表示装置に静電容量走査を実行させて表示画素を更新させる。
【０００７】
開示技術の他の態様は、以下の記述と添付の特許請求の範囲から明らかになる。
【図面の簡単な説明】
【０００８】
【図１】１つ以上の実施形態による入力装置を含む例示的システムのブロック図である。
【図２】１つ以上の実施形態による電子システムの概略図である。
【図３Ａ】１つ以上の実施形態によるデマルチプレクサの概略図である。
【図３Ｂ】１つ以上の実施形態によるタイミング図である。
【図４】１つ以上の実施形態による入力装置の概略図である。
【図５】１つ以上の実施形態による液晶表示装置の概略図である。
【図６】１つ以上の実施形態による有機発光ダイオード表示装置の概略図である。
【図７】１つ以上の実施形態によるフローチャートである。
【図８】１つ以上の実施形態による計算処理システムを示す図である。
【発明を実施するための形態】
【０００９】
次に、添付図面を参照して、開示技術の特定の実施形態について述べる。様々な図における同様の要素が、一貫性のために同様の参照数字及び／又は同様の名前によって示されうる。
【００１０】
以下の詳細な説明は、本質的に単なる例示であり、開示技術又は開示技術の用途及び使用法を限定するものではない。更に、前述の技術分野、背景、概要又は以下の詳細な説明に示された明示又は暗示されたいかなる理論によっても拘束されない。
【００１１】
開示技術の実施形態の以下の詳細な説明では、開示技術のより完全な理解を提供するために、多数の特定の詳細が示される。しかしながら、開示技術がそのような特定の詳細なしに実施されうることは当業者に明らかであろう。他の例では、説明を無駄に複雑にするのを回避するために、周知の特徴は詳細に記述されない。
【００１２】
本出願全体にわたって、順序数（例えば、第１、第２、第３など）は、要素（即ち、本出願内の任意の名詞）の形容詞として使用されうる。順序数の使用は、「前（before）」、「後（after）」、「単一（single）」及び他のそのような用語の使用によって明示されない限り、要素のいかなる特定の順序も暗示又は作成せず、いかなる要素も単一要素のみであるように限定しない。より正確に言うと、順序数の使用は、要素を区別することである。例えば、第１の要素は、第２の要素と異なり、第１の要素は、複数の要素を含み、要素の順序で第２の要素に後続（又は先行）できる。
【００１３】
本開示技術の種々の実施形態は、改善された使い勝手を容易にする入力装置及び方法を提供する。詳細には、開示された技術の１つ以上の実施形態は、表示装置に埋め込まれた１つ以上のデマルチプレクサを含む電子システムを対象とする。例えば、表示装置は、表示画素と、静電容量検出を行う検出要素（例えば、タッチセンサ）とを実装する薄膜トランジスタマトリクスを含みうる。したがって、デマルチプレクサは、表示装置内の様々な薄膜トランジスタにも対応できる。
【００１４】
更に、処理システムは、デマルチプレクサに送る多重化信号に表示更新情報と静電容量検出情報を埋め込みうる。従って、電子システムは、多重化信号をデマルチプレクサに中継するために共通バスなどの単一回路接続を使用できる。デマルチプレクサにおいて、多重化信号は、表示画素を調整し検出要素を使用して静電容量走査を行うための制御信号など、表示装置内の様々な電気構成要素のための様々な制御信号に変換されうる。同様に、多重化信号のための単一回路接続は、処理システムと表示装置の間の回路接続の数を低減でき、これにより、表示装置内に利用できる電気構成要素の数を増大できる。
【００１５】
次に図に移ると、図１は、この開示技術の実施形態による典型的入力装置（１００）のブロック図である。入力装置（１００）は、電子システム（図示せず）に入力を提供するように構成されうる。本明細書で使用されるとき、用語「電子システム」（又は「電子装置」）は、広義には、情報を電子的に処理できる任意のシステムを指す。電子システムの幾つかの非限定的な例には、デスクトップコンピュータ、ラップトップコンピュータ、ネットブックコンピュータ、タブレット、ウェブブラウザ、電子ブックリーダ及び携帯情報端末（ＰＤＡ）などの全てのサイズ及び形状のパーソナルコンピュータが含まれる。追加の典型的電子システムには、入力装置（１００）と別個のジョイスティック又はキースイッチとを含む物理キーボードなどの複合入力装置（１００）が含まれる。更に他の典型的電子システムには、データ入力装置（１００）（リモートコントロールとマウスを含む）やデータ出力装置（表示画面とプリンタを含む）などの周辺装置が含まれる。その他の例には、リモート端末装置、キオスク、及びビデオゲーム機（例えば、ビデオゲームコンソール、携帯ゲーム機など）が含まれる。他の例には、通信装置（スマートフォンなどの携帯電話を含む）、及びメディア装置（レコーダ、エディタ、並びにテレビ、セットトップボックス、音楽プレーヤ、デジタルフォトフレーム及びデジタルカメラなどのプレーヤを含む）が含まれる。更に、電子システムは、入力装置（１００）に対してホストでもスレーブもよい。
【００１６】
入力装置（１００）は、電子システムの物理部分として実現されてもよく、電子システムから物理的に分離されてもよい。更に、入力装置（１００）の一部分は、電子システムの一部でよい。例えば、決定モジュール（１５０）の全て又は一部分が、電子システムのデバイスドライバに実装されうる。必要に応じて、入力装置（１００）は、バス、ネットワーク、及び他の有線又は無線相互接続の任意の１つ以上を使って電子システムの一部と通信できる。典型的通信プロトコルには、Ｉ２Ｃ、ＳＰＩ、ＰＳ／２、ユニバーサルシリアルバス（ＵＳＢ）、Ｂｌｕｅｔｏｏｔｈ（登録商標）、高周波及びＩｒＤＡプロトコルが含まれる。
【００１７】
図１で、入力装置（１００）は、検出領域（１２０）内の１つ以上の入力オブジェクト（１４０）によって提供された入力を検出するように構成された近接センサデバイス（例えば、しばしば「タッチパッド」又は「タッチセンサデバイス」とも呼ばれる）として示される。典型的入力オブジェクト（１４０）には、図１に示されたように指とスタイラスが含まれる。明細書全体にわたって、入力オブジェクト（１４０）の単数形が使用されうる。単数形が使用されるが、検出領域（１２０）内に多数の入力オブジェクト（１４０）が存在できる。更に、検出領域（１２０）内の特定の入力オブジェクト（１４０）は、１つ以上のジェスチャの最中に変化しうる。説明を無駄に複雑にしないように、入力オブジェクト（１４０）の単数形が使用され、上記の全ての変形例を指す。
【００１８】
検出領域（１２０）は、入力装置（１００）の上、入力装置（１００）のまわり、入力装置（１００）の中及び／又は入力装置（１００）の近くに、入力装置（１００）がユーザ入力（例えば、１つ以上の入力オブジェクト（１４０）によって提供されたユーザ入力）を検出できる任意の空間を含む。特定の検出領域（１２０）のサイズ、形状及び位置は、実施形態によって大きく異なりうる。
【００１９】
幾つかの実施形態では、検出領域（１２０）は、入力装置（１００）の表面から１つ以上の方向に空間内に、信号対雑音比によって正確なオブジェクト検出が十分に妨げられるまで拡張する。入力装置（１００）の表面より上の拡張部分は、表面上検出領域（１２０）と呼ばれうる。この検出領域（１２０）が特定方向に拡張する距離は、様々な実施形態では、約１ミリメートル未満、数ミリメートル、数センチメートル、又はそれ以上でよく、使用される検出技術のタイプ及び必要な精度によって大きく変化しうる。したがって、幾つかの実施形態は、入力装置（１００）の表面との非接触、入力装置（１００）の入力面（例えば、タッチ面）との接触、ある量の印加力又は圧力と結合された入力装置（１００）の入力面との接触、及び／又はこれらの組み合わせを含む。様々な実施形態では、入力面は、センサ電極が中にあるケーシングの表面、センサ電極又は任意のケーシングの上に貼り付けられた表面板などによって提供されうる。幾つかの実施形態では、検出領域（１２０）は、入力装置（１００）の入力面に投影されたときに矩形形状を有する。
【００２０】
入力装置（１００）は、センサ構成要素と検出技術の任意の組み合わせを利用して検出領域（１２０）内のユーザ入力を検出できる。入力装置（１００）は、ユーザ入力を検出するための１つ以上の検出要素を含みうる。幾つかの非限定的な例として、入力装置（１００）は、静電容量、弾性、抵抗、誘導、磁気、音響、超音波及び／又は光学技術を使用できる。
【００２１】
幾つかの実施態様は、一次元、二次元、三次元、又はこれより高い次元の空間にわたる画像を提供するように構成される。幾つかの実施態様は、特定の軸又は平面に沿った入力の投影を提供するように構成される。更に、幾つかの実施態様は、１つ以上の画像と１つ以上の投影の組み合わせを提供するように構成されうる。
【００２２】
入力装置（１００）の幾つかの静電容量実施態様では、電圧又は電流が印加されて電界が生成される。近くの入力オブジェクト（１４０）は、電界を変化させ、電圧や電流などの変化として検出されうる静電容量結合の検出可能な変化を生成する。
【００２３】
幾つかの静電容量実施態様は、アレイ又は他の規則若しくは不規パターンの静電容量検出要素を利用して電界を生成する。幾つかの静電容量実施態様では、別個の検出要素がオーム的に短絡されて、より大きいセンサ電極が構成されうる。幾つかの静電容量実施態様は、均一な抵抗でよい抵抗シートを利用する。
【００２４】
幾つかの静電容量実施態様は、センサ電極と入力オブジェクト（１４０）の間の静電容量結合の変化に基づく「自己静電容量」（又は「絶対静電容量」）検出方法を利用する。様々な実施形態では、センサ電極近くの入力オブジェクト（１４０）は、センサ電極近くの電界を変化させ、従って測定静電容量結合が変化する。１つの実施態様では、絶対静電容量検出方法は、センサ電極を基準電圧（例えば系統接地）に対して変調することによって、またセンサ電極と入力オブジェクト（１４０）の間の静電容量結合を検出することによって動作する。基準電圧は、実質的に一定電圧でも変動電圧でもよく、様々な実施形態では、基準電圧は、系統接地でよい。絶対キャパシタンス検出方法を使用して得られる測定値は、絶対キャパシタンス測定値と呼ばれうる。
【００２５】
幾つかの静電容量実施態様は、センサ電極間の静電容量結合の変化に基づく「相互静電容量」（又は「トランスキャパシタンス」）検出方法を利用する。様々な実施形態では、センサ電極近くの入力オブジェクト（１４０）は、センサ電極の間の電界を変化させ、従って測定静電容量結合が変化する。１つの実施態様では、相互静電容量検出方法は、１つ以上のトランスミッタセンサ電極（「トランスミッタ電極」又は「トランスミッタ」とも）と１つ以上のレシーバセンサ電極（「レシーバ電極」又は「レシーバ」とも）の間の静電容量結合を検出することによって機能する。トランスミッタ信号は、トランスミッタ電極に電気的に印加されてもよく、トランスミッタ信号は、基準電圧（例えば、系統接地）に関連しうる。レシーバセンサ電極は、結果信号の受信を容易にするために、基準電圧に対して実質的に一定に保持されうる。基準電圧は、実質的に一定の電圧でよく、様々な実施形態では、基準電圧は、系統接地でよい。トランスミッタ電極は、レシーバ電極に対して、トランスミッタ信号を送り結果信号を受け易いように電気的に駆動されうる。結果信号は、１つ以上のトランスミッタ信号及び／又は環境的干渉（例えば、他の電磁信号）の１つ以上の発生源に対応する影響を含みうる。効果は、トランスミッタ信号、１つ以上の入力オブジェクト（１４０）及び／又は環境的干渉によって引き起こされるトランスミッタ信号の変化、又は他のそのような効果でよい。センサ電極は、専用トランスミッタ又はレシーバでもよく、送信と受信の両方を行うように構成されてもよい。相互静電容量検出方法を使用して得られた測定値は、相互静電容量測定値と呼ばれうる。
【００２６】
更に、センサ電極は、様々な形状及び／又はサイズのものでよい。同一グループ内のセンサ電極の形状及び／又はサイズは、同じでも同じでなくてもよい。例えば、幾つかの実施形態では、レシーバ電極が、同じ形状及び／又はサイズのものでよく、他の実施形態では、レシーバ電極が、異なる形状及び／又はサイズでよい。
【００２７】
図１で、処理システム（１１０）は、入力装置（１００）の一部として示される。処理システム（１１０）は、入力装置（１００）のハードウェアを作動させて検出領域（１２０）内の入力を検出するように構成される。処理システム（１１０）は、１つ以上の集積回路（ＩＣ）及び／又は他の回路構成要素の一部又は全てを含む。例えば、相互静電容量センサ素子のための処理システム（１１０）は、トランスミッタセンサ電極によって信号を送るように構成されたトランスミッタ回路、及び／又はレシーバセンサ電極によって信号を受け取るように構成されたレシーバ回路を含みうる。更に、絶対静電容量センサデバイス用の処理システム（１１０）は、絶対静電容量信号をセンサ電極に送るように構成されたドライバ回路、及び／又はそれらのセンサ電極で信号を受け取るように構成されたレシーバ回路を含みうる。１つ以上の実施形態で、組み合わされた相互及び絶対静電容量センサデバイスのための処理システム（１１０）は、前述の相互及び絶対静電容量回路の任意の組み合わせを含みうる。幾つかの実施形態で、処理システム（１１０）は、ファームウェアコード、ソフトウェアコードなどの電子的読取可能命令も含む。幾つかの実施形態では、処理システム（１１０）を構成する構成要素は、入力装置（１００）の検出要素の近くなどに一緒に配置される。他の実施形態では、処理システム（１１０）の構成要素は、入力装置（１００）の検出要素に近くの１つ以上の構成要素、及び他の場所にある１つ以上の構成要素と物理的に離される。例えば、入力装置（１００）は、計算処理装置に結合された周辺装置でよく、処理システム（１１０）は、計算処理装置の中央処理装置上、及び中央処理装置と別の１つ以上のＩＣ（恐らく関連ファームウェアを有する）上で動作するように構成されたソフトウェアを含みうる。別の例として、入力装置（１００）は、モバイル機器に物理的に組み込まれてもよく、処理システム（１１０）は、モバイル機器の主プロセッサの一部である回路とファームウェアを含みうる。幾つかの実施形態では、処理システム（１１０）は、入力装置（１００）の実現に専用化される。他の実施形態では、処理システム（１１０）は、また、表示画面の動作、触覚アクチュエータ／機構（図示せず）の駆動などの他の機能を実行する。
【００２８】
処理システム（１１０）は、処理システム（１１０）の様々な機能を処理する１組のモジュールとして実現されうる。各モジュールは、処理システム（１１０）の一部である回路、ファームウェア、ソフトウェア及びこれらの組み合わせを含みうる。様々な実施形態では、モジュールの様々な組み合わせが使用されうる。例えば、図１に示されたように、処理システム（１１０）は、決定モジュール（１５０）とセンサモジュール（１６０）を含みうる。決定モジュール（１５０）は、少なくとも１つの入力オブジェクト（１４０）が検出領域（１２０）内にあることを決定し、信号対雑音比を決定し、入力オブジェクト（１４０）の位置情報を決定し、ジェスチャを識別し、ジェスチャに基づいてジェスチャ又は他の情報の組み合わせを実行するアクションを決定し、及び／又は他の操作を実行する機能を含みうる。
【００２９】
センサモジュール（１６０）は、検出要素を駆動してトランミッタ信号を送り結果信号を受け取る機能を有しうる。例えば、センサモジュール（１６０）は、検出要素に結合された駆動回路及び／又は検出回路を含むセンサ回路を含みうる。センサモジュール（１６０）は、例えば、トランスミッタモジュールとレシーバモジュールを含みうる。トランスミッタモジュールは、検出要素の送信部分に結合されたトランスミッタ回路を含みうる。レシーバモジュールは、検出要素の受信部に結合されたレシーバ回路を含むことができ、結果信号を受信する機能を有しうる。
【００３０】
１つ以上の実施形態による代替又は追加モジュールがありうる。そのような代替又は追加モジュールは、前述のモジュールの１つ以上と別個のモジュール又はサブモジュールに対応できる。例示的な代替又は追加モジュールには、センサ電極や表示画面などのハードウェアを作動させるためのハードウェア作動モジュール、センサ信号や位置情報などのデータを処理するためのデータ処理モジュール、情報を報告するための報告モジュール、モード変更ジェスチャなどのジェスチャを識別するように構成された識別モジュール、及び動作モードを変更するためのモード変更モジュールが含まれる。更に、様々なモジュールは、別個の集積回路内で組み合わされうる。例えば、第１のモジュールが、第１の集積回路内に少なくとも部分的に含まれ、別個のモジュールが、第２の集積回路内に少なくとも部分的に含まれうる。更に、シングルモジュールの部分は、複数の集積回路にわたってもよい。幾つかの実施形態では、処理システム（１１０）は、全体として、様々なモジュールの動作を実行できる。
【００３１】
幾つかの実施形態では、処理システム（１１０）は、１つ以上のアクションを引き起こすことによって検出領域（１２０）内のユーザ入力（又は、ユーザ入力がないこと）に直接応答する。例示的アクションには、動作モードの変更、並びにカーソル運動、選択、メニューナビゲーション、触覚作動、及び他の機能などのグラフィカルユーザインタフェース（ＧＵＩ）アクションが含まれる。幾つかの実施形態では、処理システム（１１０）は、入力（又は、入力の欠如）に関する情報を、電子システムのある部分（例えば、別個の中央処理システム（１１０）が存在する場合は、処理システム（１１０）と別個の電子システムの中央処理システム（１１０））に提供する。幾つかの実施形態では、電子システムのある部分は、処理システム（１１０）から受け取った情報を処理してユーザ入力に作用し、例えば、モード変更アクションとＧＵＩアクションを含むあらゆる種類のアクションを容易にする。
【００３２】
例えば、幾つかの実施形態では、処理システム（１１０）は、入力装置（１００）の検出要素を作動させて、検出領域（１２０）内の入力（又は入力がないこと）を示す電気信号を生成する。処理システム（１１０）は、電子システムに提供される情報を生成する際に、電気信号に対して適切な量の処理を実行できる。例えば、処理システム（１１０）は、センサ電極から得たアナログ電気信号をデジタル化できる。別の例として、処理システム（１１０）は、フィルタリング又は他の信号調整を実行できる。更に別の例として、処理システム（１１０）は、情報が電気信号とベースラインの差を表すように、ベースラインを控除するか他の方法で考慮できる。更に他の例として、処理システム（１１０）は、例えば、位置情報を決定し、入力をコマンドとして認識し、手書きを認識できる。
【００３３】
「位置情報」は、本明細書で使用されるとき、絶対位置、相対位置、速度、加速度及び他のタイプの空間情報を広く含む。典型的な「ゼロ次元」位置情報は、近く／遠く又は接触／非接触情報を含む。典型的な「一次元」位置情報は、軸に沿った位置を含む。典型的な「二次元」位置情報は、平面内の動きを含む。典型的な「三次元」位置情報は、空間内の瞬間又は平均速度を含む。更に他の例には、空間情報の他の表現が含まれる。また、例えばある期間にわたる位置、動き又は瞬間速度を追跡する履歴データを含む、１つ以上のタイプの位置情報に関する履歴データも決定かつ／又は記憶されうる。
【００３４】
幾つかの実施形態では、入力装置（１００）は、処理システム（１１０）又は他の処理システム（１１０）によって作動される追加の入力構成要素によって実現される。これらの追加の入力構成要素は、検出領域（１２０）内の入力の冗長機能、又は他の機能を提供できる。図１は、入力装置（１００）を使用して要素の選択を容易にするために使用されうる検出領域（１２０）近くのボタン（１３０）を示す。他のタイプの追加入力構成要素には、スライダ、ボール、ホイール、スイッチ、力センサなどが含まれる。これと反対に、幾つかの実施形態では、入力装置（１００）は、他の入力構成要素なしに実現されうる。
【００３５】
幾つかの実施形態では、入力装置（１００）は、タッチスクリーンインタフェースを含み、検出領域（１２０）は、表示画面の活動領域の少なくとも一部と重なる。例えば、入力装置（１００）は、表示画面を覆う実質的に透明なセンサ電極を含み、関連電子システムのためのタッチスクリーンインタフェースを提供できる。表示画面は、ユーザに視覚インタフェースを表示できる任意のタイプの動的表示装置でよく、また任意のタイプの発光ダイオード（ＬＥＤ）、有機ＬＥＤ（ＯＬＥＤ）、陰極線管（ＣＲＴ）、液晶ディスプレイ（ＬＣＤ）、プラズマ、エレクトロルミネセンス（ＥＬ）、又は他の表示技術を含みうる。入力装置（１００）と表示画面は、物理要素を共用できる。例えば、幾つかの実施形態は、表示と検出に同じ電気構成要素の幾つかを利用できる。様々な実施形態では、表示装置の１つ以上の表示電極が、表示更新と入力検出の両方を行うように構成されうる。別の例として、表示画面は、処理システム（１１０）によって部分的又は完全に作動されうる。
【００３６】
多くの実施形態が、完全に機能する装置の文脈で述べられるが、様々な実施形態の機構が、プログラム製品（例えば、ソフトウェア）として様々な形態で配布されうることを理解されたい。例えば、様々な実施形態の機構は、電子プロセッサによって読み取り可能な情報保持媒体（例えば、処理システム（１１０）によって読み取り可能な非一時的コンピュータ読み取り可能及び／又は記録可能／書込み可能情報保持媒体）上のソフトウェアプログラムとして実現され配布されうる。更に、実施形態は、配布の実施に使用される特定タイプの媒体にかかわらず等しく適用されうる。例えば、１つ以上の実施形態を実行するコンピュータ可読プログラムコードの形のソフトウェア命令は、非一時的コンピュータ可読記憶媒体上に、全体的又は部分的に、一時的又は永久的に記憶されうる。非一時的電子的可読媒体の例には、様々なディスク、物理メモリ、メモリ、メモリスティック、メモリカード、メモリモジュール、又は他のコンピュータ可読記憶媒体が含まれる。電子的可読媒体は、フラッシュ、光学、磁気、ホログラフィ、又は他の記憶技術に基づきうる。
【００３７】
図１には示されてないが、処理システム（１１０）、入力装置（１００）及び／又はホストシステムは、１つ以上のコンピュータプロセッサ、関連メモリ（例えば、ランダムアクセスメモリ（ＲＡＭ）、キャッシュメモリ、フラッシュメモリなど）、１つ以上の記憶装置（例えば、ハードディスク、コンパクトディスク（ＣＤ）ドライブ又はデジタル多用途ディスク（ＤＶＤ）ドライブなどの光ドライブ、フラッシュメモリスティックなど）、並びに多数の他の要素及び機能を含みうる。コンピュータプロセッサは、命令を処理するための集積回路でよい。例えば、コンピュータプロセッサは、プロセッサの１つ以上のコア又はマイクロコアでよい。更に、１つ以上の実施形態の１つ以上の要素は、遠隔地に配置され、ネットワークを介して他の要素に接続されうる。更に、実施形態は、幾つかのノードを有する分散システム上で実現されてもよく、実施形態の各部分が分散システム内の様々なノード上にあってもよい。１つ以上の実施形態では、ノードは、別個の計算処理装置に対応する。あるいは、ノードは、関連物理メモリを備えたコンピュータプロセッサに対応しうる。あるいは、ノードは、共有メモリ及び／又はリソースを有するコンピュータプロセッサあるいはコンピュータプロセッサのマイクロコアに対応しうる。
【００３８】
図１は、構成要素の構成を示すが、開示技術の範囲から逸脱せずに他の構成が使用されうる。例えば、様々な構成要素を組み合わせて単一構成要素を作成できる。別の例として、単一構成要素によって実行される機能が、２つ以上構成要素によって実行されうる。従って、少なくとも前述した理由で、開示された技術の実施形態は、図１に示された構成要素及び／又は要素の特定の構成に限定されると見なされるべきでない。
【００３９】
図２に移ると、図２は、１つ以上の実施形態による電子システム（２００）の概略図を示す。図２に示されたように、電子システム（２００）は、処理システム（２１０）、ホスト装置（２８０）及び表示装置（２７０）を含みうる。表示装置（２７０）は、表示パネル、及び／又は電子システム（２００）内の１つ以上の表示層を含みうる。詳細には、表示装置（２７０）は、電子システム（２００）によって表示された画像データを生成しかつ／又は更新するためのハードウェア及び／又はソフトウェアを含む表示領域でよい。表示層及び／又は表示装置（２７０）の詳しい情報は、以下の図５と図６及び付随説明を参照されたい。処理システム（２１０）は、センサモジュール（２５０）と決定モジュール（２６０）を含みうる。センサモジュール（２５０）は、図１及び付随説明に示されたセンサモジュール（１６０）に類似しうる。決定モジュール（２６０）は、図１及び付随説明に示された決定モジュール（１５０）に類似しうる。同様に、処理システム（２１０）は、図１及び付随説明に示された処理システム（１１０）及び／又は図８及び付随説明に示された計算処理システム（８００）に類似しうる。また、ホスト装置（２８０）は、図８及び付随説明に示された計算処理システム（８００）に類似した計算処理システムでよい。
【００４０】
更に、ホスト装置（２８０）は、図形処理ユニット（ＧＰＵ）（２８１）及びユーザインタフェース（２８２）を含みうる。ＧＰＵは、表示装置（２７０）内の１つ以上の表示画素（例えば、表示画素Ａ（２２１）、表示画素Ｂ（２２２）、表示画素Ｃ（２２３））によって表示される画像データを決定しかつ／又は調整するように構成されたハードウェア及び／又はソフトウェアを含みうる。表示画素は、表示パネル内の画素の一部を構成する特定の有色サブ画素（例えば、赤、緑、青、黄色、白など）に対応しうる。ＧＰＵ（２８１）は、処理システム（２１０）に動作的に接続され、表示更新コマンドを処理システム（２１０）と表示装置（２７０）に送る機能を有しうる。詳細には、表示更新コマンドは、ＧＰＵ（２８１）によって管理される画像フレームバッファに対応できる。例えば、ユーザインタフェース（２８２）によって得られた１つ以上のユーザ入力に基づいて、ＧＰＵ（２８１）は、表示装置（２７０）内の１つ以上の表示画素の画素値の変化に対応する１つ以上の表示更新コマンドを処理システム（２１０）に送る機能を有しうる。同様に、ホスト装置（２８０）は、検出領域内の１つ以上の入力オブジェクトに関する位置情報及び／又はオブジェクト情報を処理システム（２１０）から取得できる。
【００４１】
更に、電子システム（２００）は、様々な検出要素（例えば、トランスミッタ電極Ｘ（２２６）、レシーバ電極Ｘ（２２７））を含みうる。検出要素は、有機発光ダイオード（ＯＬＥＤ）表示装置又は液晶ディスプレイ（ＬＣＤ）内にある薄膜トランジスタ（ＴＦＴ）と接続されうる。別の実施形態では、検出要素は、表示装置の様々な表示層の間に配置されたセンサ層の一部でよい。更に、検出要素は、ダイオード、トランジスタ、様々な電極構成、２つ以上の端子を有する他の半導体装置などの様々な種類の薄膜半導体を含みうる。幾つかの実施形態では、検出要素は、図１及び付随説明に示されたトランスミッタ電極、及び／又は図１及び付随説明に示されたレシーバ電極と類似のレシーバ電極など、表示装置（２７０）内に配置されたセンサ電極である。
【００４２】
１つ以上の実施形態で、電子システム（２００）は、処理システム（２１０）に結合された１つ以上のマルチプレクサ（例えば、マルチプレクサＡ（２４１）、マルチプレクサＮ（２４２））を含む。詳細には、マルチプレクサは、処理システム（２１０）及び／又は電子システム（２００）の他の回路から得られた１つ以上の制御信号から多重化信号を生成するためのハードウェア及び／又はソフトウェアを含みうる。幾つかの実施形態では、マルチプレクサ（２４１，２４２）は、処理システム（２１０）内に配置される。
【００４３】
更に、多重化信号は、表示画素を動作させるための１つ以上の表示制御信号及び／又は静電容量走査を行うための１つ以上の静電容量検出制御信号に対応できる。幾つかの実施形態で、例えば、多重化信号は、表示更新及び／又は静電容量検出と連付けられた様々なそれぞれの周期を定義するフレームを含む電圧信号である。詳細には、多重化信号内の周期は、表示画素の更新及び接近検出の変調波形に対応できる。多重化信号内の周期に関する詳しい情報は、以下の図３Ｂ及び付随説明を参照されたい。
【００４４】
１つ以上の実施形態で、多重化信号は、表示装置（２７０）内に配置されたデマルチプレクサ（例えば、デマルチプレクサＡ（２３１）、デマルチプレクサＮ（２３２））に送られうる。したがって、デマルチプレクサは、多重化信号を、表示画素を調整しかつ／又は検出要素（例えば、トランスミッタ電極Ｘ（２２６）、レシーバ電極Ｘ（２２７））を動作させるためのそれぞれの制御信号に変換できる。幾つかの実施形態では、デマルチプレクサは、多重化信号を、表示更新のためだけに受け取り、即ち表示制御信号にのみ対応する。例えば、表示装置は、表示更新のための１組のデマルチプレクサと、静電容量検出信号のための別の組のデマルチプレクサを含みうる。
【００４５】
幾つかの実施形態で、例えば、デマルチプレクサは、表示装置内の薄膜トランジスタを使用して実現される。例えば、デマルチプレクサ（２３１，２３２）は、ゲートインパネル（ＧＩＰ）ＴＦＴマトリクスの一部を構成しうる。
【００４６】
図３Ａに移ると、図３Ａは、１つ以上の実施形態によるデマルチプレクサ（３３０）の概略図を示す。図３Ａに示されたように、デマルチプレクサ（３３０）は、処理システム（図示せず）から多重化信号を得る多重化信号線（３１５）を含みうる。次に、多重化信号は、デマルチプレクサ（３３０）内で様々な電気制御信号に変換されうる。詳細には、電気制御信号は、様々なトレースによってデマルチプレクサ（３３０）から出力される（例えば、赤サブ画素供給線（３２１）によって表示更新制御信号、緑サブ画素供給線（３２２）によって表示更新制御信号、青サブ画素供給線（３２３）によって表示更新制御信号、及び／又は静電容量センサルーティングトレース（３２４）によって検出信号）。図３Ａに示されたように、デマルチプレクサ（３３０）は、図３Ａに示された典型的実施形態から逸脱しないＰＭＯＳ型、ＮＭＯＳ型及び／又は他の型のトランジスタを含みうる様々なトランジスタ（例えば、トランジスタＡ（３１７）、トランジスタＢ（３１８））を含みうる。図３Ａは、表示更新と静電容量検出信号の両方に対応する多重化信号のためのデマルチプレクサを示すが、デマルチプレクサが、表示制御信号の多重化信号だけに使用されるか、静電容量検出制御信号の多重化信号だけに使用される他の実施形態が意図される。
【００４７】
同様に、処理システム及び／又はホスト装置は、様々な電気制御線（例えば、赤サブ画素制御線（３１１）、緑サブ画素制御線（３１２）、青サブ画素制御線（３１３）、静電容量センサ制御線（３１４）及び基準電圧線（３１６））を使用してデマルチプレクサ（３３０）を作動させうる。したがって、デマルチプレクサ（３３０）は、表示装置内のＴＦＴマトリクスへの付加的な回路接続なしに、処理システムが表示画素及び／又は検出要素と結合することを可能にできる。即ち、デマルチプレクサ（３３０）は、それぞれの電圧出力（例えば、供給線（３２１〜３２３）又は静電容量センサルーティングトレース（３２４））を多重化信線（３１５）又は基準電圧線（３１６）に接続するために、様々な電気制御線（３１１〜３１４，３１６）によって制御されうる。
【００４８】
更に、基準電圧線（３１６）は、様々な表示画素の更新を定義するための共通電圧レベルを指定しうる。例えば、基準電圧線（３１６）は、液晶表示装置内のＶＣＯＭ  ＤＣレベル又はＯＬＥＤ表示装置内のカソードＤＣレベルに対応しうる。
【００４９】
図３Ｂに移ると、図３Ｂは、１つ以上の実施形態によるデマルチプレクサの種々の入力信号と出力信号のタイミング図を示す。具体的には、多重化信号（３５５）は、シーケンス内で様々な周期（例えば、赤サブ画素周期（３３１）、緑サブ画素周期（３３２）、青サブ画素周期（３３３）及び近接検出周期（３３４））に分割されうる。多重化信号（３５５）内のそれぞれの周期で、表示装置内のそれぞれの表示画素の表示更新が存在しうる（例えば、赤サブ画素周期（３３１）が、赤サブ画素制御信号（３５１）を使用する赤サブ画素供給線（３２１）の表示更新に対応し、緑サブ画素周期（３３２）が、制御信号（３５２）による緑サブ画素供給線（３２２）の表示更新に対応し、青サブ画素周期（３３３）は、制御信号（３５３）による青サブ画素供給線（３２３）の表示交信に対応する）。したがって、デマルチプレクサは、それぞれの表示画素線（３２１〜３２３）を動作させるために、多重化信号線（３１５）の多重化信号（３５５）を様々な電気信号（例えば、赤サブ画素制御信号（３５１）、緑サブ画素制御信号（３５２）及び青サブ画素制御信号（３５３））に変換できる。これらの制御信号及び信号周期は、表示装置の特定の縦列のものでよく、続く繰り返し周期の連続列の供給線更新を駆動してもよく、一方、画素列更新が、標準ＧＩＰ列選択電子回路（例えば、シフトレジスタ）によって選択されてもよい。
【００５０】
更に、多重化信号（３５５）の近接検出周期（３３４）は、検出領域の静電容量走査を行うための１つ以上の検出信号に対応しうる。図３Ｂに示されたように、静電容量検出制御信号（３５４）は、検出周期（３３４）中に静電容量センサルーティングトレース（３２４）に接続された検出領域内で１つ以上の入力オブジェクトと関連付けられたオブジェクト情報を検出するために１つ以上のセンサ電極を動作させるための多重化信号（３５５）からの一連のバーストを含むように多重化信号線（３１５）を選択できる。更に、静電容量検出制御信号（３５４）は、検出周期（３３４）中に様々な検出要素によって送られる検出信号及び／又は保護信号の様々な変調振幅を定義する変調波形の選択に対応でき、残りの時間周期（例えば、３３１〜３３３）中に、ルーティングトレース（３２４）に送られる基準電圧線（３１６）電圧を選択できる。幾つかの実施形態では、静電容量検出制御信号は、入力装置のために表示装置内の区分された共通電極（例えば絶対静電容量検出及び／又は相互静電容量検出のため）を使用して実現される。
【００５１】
図２に戻ると、処理システム（２１０）は、表示層（例えば、ＬＣＤ装置ではチップオンガラス（ＣＯＧ）基板）上に取り付けられうる。したがって、処理システム（２１０）は、デマルチプレクサ（２３１、２３２）と類似の出力バンプマップを有しうる。したがって、処理システム（２１０）は、薄膜トランジスタからインセル近接検出に対応できる表示ドライバ回路（図示せず）への同一接続を表示基板上に有しうる。同様に、デマルチプレクサを使用して単一回路接続を実現することによって、出力接続を統一して処理システム設計を単純にできる。幾つかの実施形態では、デマルチプレクサとマルチプレクサは、単一回路接続を実現するために共通バスを使用して結合される。更に、表示装置（２７０）内にデマルチプレクサを実現することによって、表示装置（２７０）内のトランジスタマトリクスへの処理システム接続の数を実質的に低減でき、したがって、処理システム接続のためのそれぞれの基板バンプのピッチを大きくできる（例えば、バンプ数百個だけ接続の数を低減できる）。
【００５２】
図４に移ると、図４は、１つ以上の実施形態による入力装置（４００）の概略図を示す。図４に示されたように、入力装置（４００）は、レシーバモジュール（４５０）、トランスミッタモジュール（４４０）及び処理システム（４１０）を含みうる。幾つかの実施形態では、入力装置（４００）は、図２及び付随説明で前述された電子システム（２００）の一部である。例えば、処理システム（４１０）は、図１と図２及び付随説明で前述された処理システム（１１０，２１０）に類似しうる。トランスミッタモジュール（４４０）は、図１及び付随説明に示されたトランスミッタ回路に類似しうる駆動回路（４４５）を含みうる。例えば、駆動回路（４４５）は、１つ以上のトランスミッタ電極（例えば、トランスミッタ電極Ａ（４３１）、トランスミッタ電極Ｂ（４３２）、トランスミッタ電極Ｃ（４３３）、トランスミッタ電極Ｄ（４３４）、トランスミッタ電極Ｅ（４３５）、トランスミッタ電極Ｆ（４３６））によって送られる１つ以上の検出信号を生成する機能を有するハードウェア及び／又はソフトウェアを含みうる。トランスミッタ電極（４３１、４３２、４３３、４３４、４３５、４３６）は、図１及び付随説明に示されたトランスミッタ電極に類似しうる。同様に、ＧＩＰシフトレジスタ線、ゲート線、ソース線などの様々なルーティングトレース（図示せず）が、駆動回路（４４５）をトランスミッタ電極（４３１、４３２、４３３、４３４、４３５、４３６）と結合できる。
【００５３】
更に、レシーバモジュール（４５０）は、検出回路（４５５）を含みうる。例えば、検出回路（４５５）は、トランスミッタ電極（４３１、４３２、４３３、４３４、４３５、４３６）によって送られた１つ以上の検出信号に応じて、１つ以上のレシーバ電極（例えば、レシーバ電極Ａ（４２１）、レシーバ電極Ｂ（４２２）、レシーバ電極Ｃ（４２３）、レシーバ電極Ｄ（４２４）、レシーバ電極Ｅ（４２５）、レシーバ電極Ｆ（４２６）、レシーバ電極Ｇ（４２７）、レシーバ電極Ｈ（４２８）、レシーバ電極Ｉ（４２９））から１つ以上の結果信号を得る機能を有するハードウェア及び／又はソフトウェアを含みうる。検出回路（４５５）は、図１及び付随説明に示されたレシーバ回路に類似しうる。
【００５４】
詳細には、検出回路（４５５）は、様々なアナログ調整回路を含みうる様々なアナログフロントエンド（例えば、アナログフロントエンドＡ（４７１）、アナログフロントエンドＢ（４７２）、アナログフロントエンドＣ（４７３）、アナログフロントエンドＤ（４７４））を含みうる。例えば、アナログフロントエンドは、演算増幅器、デジタル信号処理構成要素、電荷収集機構、フィルタ、及びレシーバ電極（４２１、４２２、４２３、４２４、４２５、４２６、４２７、４２８、４２９）から得られた結果信号を検出し分析するための様々な特定用途向け集積回路を含みうる。同様に、レシーバ電極（４２１，４２２、４２３、４２４、４２５、４２６、４２７、４２８、４２９）は、図１及び付随説明で示されたレシーバ電極に類似しうる。種々のルーティングトレース（図示せず）は、検出回路（４５５）をレシーバ電極（４２１、４２２、４２３、４２４、４２５、４２６、４２７、４２８、４２９）と結合できる。
【００５５】
１つ以上の実施形態で、入力装置（４００）は、マトリクス電極アレイ（例えば、マトリクス電極アレイ（４７０））を含む。例えば、マトリックス電極アレイ（４７０）は、トランスミッタ電極（４３１、４３２、４３３、４３４、４３５、４３６）やレシーバ電極（４２１、４２２、４２３、４２４、４２５、４２６、４２７、４２８、４２９）などの様々なセンサ電極を含みうる。同様に、マトリクス電極アレイ内のセンサ電極は、正方形、長方形、円、規則及び不規則形状及び／又は他の幾何学形状などの所定の形状に従って配置されうる。
【００５６】
引き続き図４で、１つ以上の実施形態で、トランスミッタ電極及び／又はルーティングトレースは、種々のタイプのアナログフロントエンドに基づいて構成される。例えば、１つのタイプのアナログフロントエンドで、アナログフロントエンドは、電荷積分器を含みかつ／又は電荷積分器と結合されうる。別のタイプのアナログフロントエンドでは、アナログフロントエンドは、電流コンベヤを使用して動作するように構成されうる。従って、アナログフロントエンドは、入力端子と基準端子を含みうる。入力端子は、レシーバ電極から結果信号を受け取ってもよく、基準端子は、直流電圧又は変調電圧に設定されてもよい。
【００５７】
更に、特定のアナログフロントエンド（即ち、ＡＦＥ）によって様々な態様が実現されうる。１つの態様で、基準端子で直流電圧が使用される場合、トランスミッタ電極に送られる検出信号が変調されうる。同様に、ゲート線が１つ以上の直流電圧レベルに設定されてもよく、ソース線が、１つ以上の直流電圧レベル又は高インピーダンス（ＨｉＺ）レベルに設定されてもよい。別の態様では、変調信号が基準端子に印加される場合、トランスミッタ電極は、１つ以上の直流電圧レベルに設定されうる。したがって、ゲート線は、基準端子に印加される変調信号と類似の波形を有する変調信号で保護されうる。同様に、ソース線は、ゲート線と同じように保護されるか、ＨｉＺレベルに設定されうる。変調信号がＡＦＥの基準端子に印加される更に他の態様では、トランスミッタ電極、ソース線及びゲート線はそれぞれ、保護信号で変調されるか、高インピーダンスで浮動させられて、目に見える影響を最小にするように表示電圧を維持しながらセンサに対するパネル結合静電容量の影響を小さくする。静電容量検出のためのトランスミッタ電極並びに表示更新に使用されるセンサ電極に対して、アナログフロントエンドの様々な態様が実現されうる。
【００５８】
検出回路（４５５）は、１つ以上の電荷積分器（例えば、電荷積分器Ａ（４９０））を含みうる。詳細には、電荷積分器は、１つ以上の結果信号をそれぞれの結果信号に比例する電圧出力に変換する機能を有するハードウェア及び／又はソフトウェアを含みうる。例えば、電荷積分器は、アナログフロントエンドの入力端子と基準端子に関して前述したものと同じように構成された入力端子と基準端子を有する増幅器を含みうる。したがって、電荷積分器Ａ（４９０）は、１つ以上の増幅器、様々な帰還コンデンサ、及び他の回路部品を含みうる。
【００５９】
検出回路（４５５）は、更に、１つ以上の電流コンベアを含みうる。例えば、電流コンベアは、結果信号及び／又は結果信号の近似値を複製するためのハードウェア及び／又はソフトウェアを含みうる。電流コンベアは、様々なタイプのアナログフロントエンドに関して上述された１つ以上の態様に従って構成されてもよい。
【００６０】
図５に移ると、図５は、１つ以上の実施形態によるＬＣＤ装置Ａ（５００）の概略図を示す。図５に示されたように、ＬＣＤ装置Ａ（５００）は、様々な表示層（例えば、ＬＣＤカラーフィルタガラスＡ（５２０）、ＬＣＤ  ＴＦＴガラスＡ（５３０））、様々な検出要素（５５０）を含むＴＦＴ層Ａ（５５５）、様々な表示画素（５５１）を含むＴＦＴ層Ｂ（５５６）、及びバックライトＡ（５９０）を含みうる。詳細には、１つ以上のＴＦＴ層は、ＬＣＤ表示装置Ａ（５００）内のＴＦＴマトリクスに対応しうる。例えば、表示画素（５５１）は、液晶を透過した光の偏光を制御し、従ってＬＣＤカラーフィルタガラス（例えば、ＬＣＤカラーフィルタガラスＡ（５２０））から出る光の色を制御する液晶（例えば、液晶Ａ（５８０））の両側の電圧を生成する機能を有する薄膜トランジスタでよい。幾つかの実施形態で、表示画素（５５１）は、より大きい表示画素を定義しデマルチプレクサに結合されたカラーサブ画素である。幾つかの実施形態で、ＬＣＤ装置Ａ（５００）は、図２及び付随説明で前述された表示装置（２７０）に対応する。
【００６１】
更に、液晶（例えば、液晶Ａ（５８０））は、ＬＣＤカラーフィルタガラスＡ（５２０）とＴＦＴ層Ａ（５５５）及び／又はＴＦＴ層Ｂ（５５６）との間に配置されうる。液晶は、サーモトロピック液晶及び／又はリオトロピック液晶などの種々のタイプの液晶流体を含みうる。ＬＣＤカラーフィルタガラス基板（例えば、ＬＣＤカラーフィルタガラスＡ（５２０））は、透明基板上に赤−緑−青（ＲＧＢ）画素の三色パターンが配置されたほぼ透明の基板（例えば、ガラス）でよい。例えば、三色パターンは、ガラス基板上に被覆された硬化感光性カラーレジストの生成物でよい。バックライトと偏光子（例えば、バックライトＡ（５９０））は、可視光をＬＣＤ装置に通して偏光を有する所定のカラースペクトラム内の光を生成する機能を有する蛍光灯や他の照明装置などの白色光源でよい。バックライトが図５に示されているが、１つ以上の実施形態で、ＬＣＤ装置は、バックライトなしに実現されうる（例えば、反射光が偏光されうる）。同様に、図５に幾つかの表示層が示されているが、ＬＣＤ装置は、反射器層、偏光子層、拡散板、種々のカソード及び／又はアノード層、アクティブマトリクス型ＬＣＤ装置を実現する薄膜半導体層などの図示されていない他の表示層を（例えば、カラーフィルタの上に）含みうる。これにより、光弁アレイとしてＬＣＤ画素を通る偏光の透過を制御できる。
【００６２】
引き続き図５で、ＬＣＤ装置Ａ（５００）は、ＬＣＤ装置Ａ（５００）の検出領域（図示せず）内の１つ以上の入力オブジェクト（図示せず）の存在を検出する機能を有する様々な検出要素（５５０）を含みうる。１つ以上の実施形態で、検出要素（５５０）は薄膜トランジスタである。詳細には、電極の様々な構成を含む種々のＴＦＴ構造が使用されうる。種々のＴＦＴ構造で、例えば、薄膜トランジスタは、半導体層内、半導体層上、又は半導体層に結合されたゲート絶縁体内に配置されたソース電極とゲート電極を含みうる。同様に、薄膜トランジスタの半導体層は、アモルファスシリコン、ポリシリコン、及び／又は他の型のＴＦＴ半導体材料（例えば、インジウムガリウム亜鉛酸化物）を含みうる。別の実施形態では、例えば、検出要素（５５０）は、薄膜トランジスタチャネル内に有機半導体を使用する有機薄膜トランジスタである。同様に、透明薄膜トランジスタは、検出要素（５５０）に使用されうる。更に、薄膜トランジスタのゲート電極は、ゲート絶縁体内又はゲート絶縁体の上に配置されうる。
【００６３】
図６に移ると、図６は、１つ以上の実施形態によるＯＬＥＤ表示装置Ａ（６００）の概略図を示す。図６に示されたように、ＯＬＥＤ表示装置Ａ（６００）は、ガラスなどの様々な表示層（例えば、入力面（６０５）、センサ層Ａ（６１０）、センサ層Ｂ（６４０）、センサ層Ｘ（６５５）、封入層Ａ（６２０）、有機表示層Ａ（６３０）及び支持基板Ａ（６９０））を含みうる。表示層は、ユーザへの出力の生成（例えば、音声及び／又は視覚出力に対する）、ユーザからの入力の取得（例えば、表示装置における入力オブジェクトの接近の検出）、及び／又は表示装置内の１つ以上の構成要素の物理的支持の提供などの機能を実行するように構成された表示装置内の基板でよい。センサ層Ｘ（６５５）などの表示層は、トランスミッタ電極、レシーバ電極、力センサ、薄膜トランジスタ、ダイオードなどの種々の検出要素（例えば、検出要素（６５０））を含みうる。幾つかの実施形態で、表示層は、デマルチプレクサ（図示せず）に結合された表示画素の層を含みうる。従って、１つ以上の表示層は、協力的に動作して表示装置に対する特定の機能を実行できる。ＯＬＥＤ表示装置Ａ（６００）は、白色ＯＬＥＤ、折り畳み型ＯＬＥＤ、透明ＯＬＥＤ、パッシブマトリクス又はアクティブマトリクスＯＬＥＤ、上面放射ＯＬＥＤ、あるいは様々な他のタイプのＯＬＥＤ装置でよい。幾つかの実施形態において、ＯＬＥＤ装置Ａ（６００）は、図２及び付随説明で前述された表示装置（２７０）に対応する。
【００６４】
更に、ＯＬＥＤ表示装置Ａ（６００）は、検出領域内に配置された１つ以上の入力オブジェクトの位置を検出する近接検出機能を有しうる。同様に、センサ層Ａ（６１０）及び／又はセンサ層Ｂ（６４０）は、封入層（６２０）又は光学的に透明な接着剤（６８０）によって取り付けられた別個の基板の直上にトランスミッタ電極及び／又はレシーバ電極などのセンサ層を含みうる。センサ層（６１０，６４０）内のトランスミッタ電極及び／又はレシーバ電極は、図１と図２及び付随説明で前述されたトランスミッタ電極及び／又はレシーバ電極と類似しうる。
【００６５】
詳細には、ＯＬＥＤ表示装置Ａ（６００）は、有機分子又は高分子からなる様々な有機表示層（例えば、有機表示層Ａ（６３０））を含みうる。有機表示層Ａ（６３０）は、画像データをユーザに提示する可視光を生成する機能を有しうる。例えば、有機表示層Ａ（６３０）は、放射層と導電層を含みうる。同様に、ＯＬＥＤ表示装置Ａ（６００）は、また、有機表示層を作動させる機能を有するカソード層及び／又はアノード層などの種々の非有機表示層（図示せず）を含みうる。更に、カソード層とアノード層の交点は、ＯＬＥＤ表示装置Ａ（６００）内の様々な表示画素を構成するように構成されうる。同様に、ＯＬＥＤ表示装置Ａ（６００）内の特定の画素によって様々なタイプの可視光が生成されうる。更に、有機表示層は、柔軟又は剛性でよい支持基板（例えば、支持基板Ａ（６９０））上に配置されうる。
【００６６】
引き続き図６で、ＯＬＥＤ表示装置Ａ（６００）は、種々の有機表示層（例えば、有機表示層Ａ（６３０））のまわりの障壁を提供する機能を有する封入層（例えば、封入層Ａ（６２０））を含みうる。例えば、封入層Ａ（６２０）は、有機表示層Ａ（６３０）上、有機表示層Ａ（６３０）の上、又は有機表示層Ａ（６３０）の下に配置された単一層又は複数層でよい。したがって、封入層Ａ（６２０）は、様々な有機表示層を酸素、水蒸気及び／又はＯＬＥＤに対する他の有害物質から保護する有機及び／又は無機化学層を含む薄膜でよい。
【００６７】
１つ以上の実施形態で、ＯＬＥＤ表示装置Ａ（６００）内の１つ以上の表示層は、入力力（図示せず）及び／又は検出領域内の１つ以上の入力オブジェクト（図示せず）の位置を検出する機能を有する種々の薄膜トランジスタを含みうる。例えば、ＯＬＥＤ表示装置Ａ（６００）内の検出要素は、ＯＬＥＤ表示装置Ａ（６００）の酸素保護領域内の封入層Ａ（６２０）の下に配置された薄膜トランジスタを含みうる。例えば、保護領域内に検出要素（６５０）と共に他のＴＦＴ電極が存在しうる。他のＴＦＴ電極は、例えばＯＬＥＤ表示装置Ａ（６００）内の画像生成を制御するアクティブマトリクスＯＬＥＤ装置を実現する機能を有しうる。幾つかのタイプの表示層が図６に示されているが、ＯＬＥＤ表示装置が、付加封入層、緩衝層、ＴＦＴバックプレーンなどの図示されていない他の表示層を含みうる。
【００６８】
図７に移ると、図７は、１つ以上の実施形態によるフローチャートを示す。具体的には、図７は、表示更新及び／又は静電容量検出を行う方法を示す。図７に示されたプロセスは、例えば、図１、図２、図４、図５及び図６に関して前述された１つ以上の構成要素（例えば、処理システム（１１０））を含みうる。図７の様々なステップは、連続的に提示され言及されるが、当業者は、ステップの幾つか又は全てが、異なる順序で実行されてもよく、組み合わされても省略されてもよく、ステップの幾つか又は全てが並列に実行されてもよいことを理解するであろう。更に、ステップは、能動的又は受動的に実行され、他の適切な表示更新及び静電容量検出要件（例えば、ＧＩＰ制御、バックライト制御、電力供給制御、検出変調信号生成など）との組み合わせで実行されてもよい。
【００６９】
ステップ７００で、１つ以上の実施形態による１つ以上の表示画素の表示更新が決定される。例えば、図形処理ユニットは、表示装置内の１つ以上の表示画素を調整するための表示更新を決定できる。表示更新は、表示画素の全て又は一部の１つ以上の画素値の変更、例えば、サブ画素の操作による表示画素の色の変更、輝度レベルの調整などを含みうる。更に、図形処理ユニットは、ユーザインタフェースによって得られた１つ以上のユーザ入力に基づいて表示更新を決定できる。入力に応じて、図形処理ユニットは、１つ以上の表示更新を処理システムに送信できる。幾つかの実施形態で、処理システムは、例えば、検出領域内で検出された１つ以上の入力オブジェクトに関するオブジェクト情報に基づいて、表示装置の表示更新を決定しうる。
【００７０】
ステップ７１０で、１つ以上の実施形態による表示更新に基づいて１つ以上の表示制御信号が決定される。例えば、処理システムは、表示装置内の１つ以上の表示画素の調整のために１つ以上の表示制御信号を決定できる。表示制御信号は、ＬＣＤ装置、ＯＬＥＤ装置及び／又は別のタイプの表示装置内のサブ画素の輝度を符号化しうる。幾つかの実施形態で、表示制御信号は、図３Ｂ及び付随説明に示された赤サブ画素制御信号（３５１）、緑サブ画素制御信号（３５２）、及び青サブ画素制御信号（３５３）に類似する。同様に、表示制御信号は、表示装置内のデマルチプレクサに結合された特定のソース線、例えば、図３Ａ及び付随説明に示された赤サブ画素ソース線（３２１）、緑サブ画素ソース線（３２２）、及び／又は青サブ画素ソース線（３２３）に類似のソース線に対応できる。
【００７１】
ステップ７２０で、１つ以上の実施形態による１つ以上の検出要素を使用して静電容量走査のために１つ以上の静電容量検出制御信号が決定される。例えば、処理システムは、検出領域内の入力オブジェクトを検出及び／又は監視するため静電容量走査を決定できる。したがって、処理システムは、入力装置と関連付けられた検出要素を使用して、静電容量走査を実現するための１つ以上の静電容量検出制御信号を決定できる。詳細には、静電容量検出制御信号は、検出領域の静電容量走査を行うために、１つ以上のセンサ電極に沿って送られた１つ以上の検出信号に対応しうる。更に、静電容量検出制御信号は、図３Ｂ及び付随図面で前述された静電容量検出制御信号（３５４）に類似しうる。
【００７２】
ステップ７３０で、１つ以上の実施形態により１つ以上の表示制御信号と１つ以上の静電容量検出制御信号に基づいて多重化信号が生成される。幾つかの実施形態で、処理システムは、マルチプレクサを使用して種々の表示制御信号及び／又は静電容量検出制御信号を１つ以上の多重化信号に組み合わせる。１つ以上の実施形態で、処理システムは、外部マルチプレクサを使用せずに多重化信号を直接生成する。したがって、多重化信号に埋め込まれた種々の制御信号は、表示画素を作動させかつ／又は検出領域に対する静電容量検出を行うために表示装置内のデマルチプレクサ内で復号化されうる。
【００７３】
ステップ７４０で、多重化信号が、１つ以上の実施形態により１つ以上の表示画素と１つ以上の検出要素を含む表示装置内のデマルチプレクサに送られる。幾つかの実施形態で、表示装置内の薄膜トランジスタマトリクスにデマルチプレクサが埋め込まれる。したがって、多重化信号は、単一回路接続によってデマルチプレクサへの入力のために送られうる。したがって、デマルチプレクサは、デマルチプレクサによって制御信号としてそれぞれの要素に中継されうる種々の検出要素及び表示画素状態を決定しうる。
【００７４】
実施形態は、計算処理システム（８００）上で実現されうる。モバイル、デスクトップ、サーバ、ルータ、スイッチ、埋込み装置又は他のタイプのハードウェアの任意の組み合わせが使用されうる。例えば、図８に示されたように、計算処理システム（８００）は、１つ以上のコンピュータプロセッサ（８０２）、非永続記憶装置（８０４）（例えば、ランダムアクセスメモリ（ＲＡＭ）やキャッシュメモリなどの揮発性メモリ）、永続記憶装置（８０６）（例えば、ハードディスク、コンパクトディスク（ＣＤ）又はデジタル多用途ディスク（ＤＶＤ）などの光学ドライブ、フラッシュメモリなど）、通信インタフェース（８１２）（例えば、Ｂｌｕｅｔｏｏｔｈインタフェース、赤外線インタフェース、ネットワークインタフェース、光学インタフェースなど）、及び多数の他の要素及び機能を含みうる。
【００７５】
コンピュータプロセッサ（８０２）は、命令を処理するための集積回路でよい。例えば、コンピュータプロセッサ（８０２）は、プロセッサの１つ以上のコア又はマイクロコアでよい。計算処理システム（８００）は、また、タッチスクリーン、キーボード、マウス、マイクロフォン、タッチパッド、電子ペン、又は任意の他のタイプの入力装置（８１０）など、１つ以上の入力装置（８１０）を含みうる。
【００７６】
通信インタフェース（８１２）は、計算処理システム（８００）を、ネットワーク（図示せず）（例えば、ローカルエリアネットワーク（ＬＡＮ）、インターネットなどの広域ネットワーク（ＷＡＮ）、モバイルネットワーク、又は他のタイプのネットワーク）、及び／又は別の計算処理装置などの別の装置に接続するための集積回路を含みうる。
【００７７】
更に、計算処理システム（８００）は、スクリーン（例えば、液晶ディスプレイ（ＬＣＤ）、プラズマディスプレイ、タッチスクリーン、陰極線管（ＣＲＴ）モニタ、プロジェクタ又は他の表示装置）、プリンタ、外部記憶装置又は他の出力装置などの１つ以上の出力装置（８０８）を含みうる。出力装置の１つ以上は、入力装置と同じでもよく異なってもよい。入力及び出力装置は、コンピュータプロセッサ（８０２）、非永続記憶装置（８０４）及び永続記憶装置（８０６）にローカル又はリモートで接続されうる。様々なタイプの計算処理システムが存在してよく、上述の入力及び出力装置は、他の形態をとりうる。
【００７８】
開示された技術の実施形態を実行するコンピュータ可読プログラムコードの形のソフトウェア命令は、ＣＤ、ＤＶＤ、記憶装置、ディスケット、テープ、フラッシュメモリ、物理メモリ又は他のコンピュータ可読記憶媒体などの非一時的コンピュータ可読媒体に、全体又は部分的に、一時的又は永久的に記憶されうる。具体的には、ソフトウェア命令は、プロセッサによって実行されたときに開示技術の１つ以上の実施形態を実行するように構成されたコンピュータ可読プログラムコードに対応しうる。
【００７９】
共有メモリは、データが複数プロセスによって通信及び／又はアクセスされうる機構を具体化するために仮想記憶空間の割り当てを指す。共有メモリを実現する際、初期化プロセスは、最初に、永続又は非永続記憶装置内に共有可能セグメントを作成する。作成後、初期化プロセスは、共有可能セグメントをマウントし、その後で、共有可能セグメントを初期化プロセスと関連付けられたアドレス空間にマッピングする。マウントに続いて、初期化プロセスは、共有可能セグメントとの間でデータを読み書きできる１つ以上の許可プロセスに対するアクセス許可を識別し許可し始める。１つのプロセスによって共有可能セグメント内のデータに行なわれた変更は、やはり共有可能セグメントにリンクされた他のプロセスにもすぐに影響を与えうる。更に、許可プロセスのうちの１つが、共有可能セグメントにアクセスするとき、共有可能セグメントは、その許可プロセスのアドレス空間にマッピングする。多くの場合、初期化プロセスではなく、１つの許可プロセスだけが、共有可能セグメントをいつでもマウントしうる。
【００８０】
開示技術の範囲から逸脱することなく、本出願に記載された様々なデータなどのデータをプロセス間で共有する他の技術が使用されうる。プロセスは、同じ用途又は異なる用途の一部でよく、同じ計算処理システム上又は異なる計算処理システム上で実行できる。
【００８１】
プロセス間のデータの共有以外又は共有に加えて、開示技術の１つ以上の実施形態を実行する計算処理システムは、ユーザからデータを受け取る機能を有しうる。例えば、１つ以上の実施形態で、ユーザは、ユーザ装置上のグラフィカルユーザインタフェース（ＧＵＩ）によってデータを提示できる。データは、グラフィカルユーザインタフェースを介して、タッチパッド、キーボード、マウス又は他の入力装置を使用して、１つ以上のグラフィカルユーザインタフェースウィジェットを選択するか、テキスト及び他のデータをグラフィカルユーザインタフェースウィジェットに挿入するユーザによって提出されうる。特定の項目の選択に応じて、特定の項目に関する情報が、コンピュータプロセッサによって永続又は非永続記憶装置から得られうる。ユーザによって項目が選択されると、特定の項目に関して得られたデータの内容が、ユーザの選択に応じて、ユーザ装置上に表示されうる。
【００８２】
別の例により、特定の項目に関するデータを得る要求が、ネットワークを介してユーザ装置に動作的に接続されたサーバに送信されうる。例えば、ユーザは、ユーザ装置のウェブクライアント内のユニフォームリソースロケータ（ＵＲＬ）リンクを選択し、それにより、ハイパーテキスト転送プロトコル（ＨＴＴＰ）又は他のプロトコル要求が、ＵＲＬと関連付けられたネットワークホストに送られる。その要求に応じて、サーバは、特定の選択された項目に関するデータを抽出し、要求を出した装置にデータを送信できる。ユーザ装置が、特定の項目に関するデータを受信した後、特定の項目に関する受信データの内容が、ユーザの選択に応じて、ユーザ装置上に表示されうる。上記の例に加えて、ＵＲＬリンクを選択した後でサーバから受信したデータが、ウェブクライアントによって描写されユーザ装置上に表示されうるハイパーテキストマークアップ言語（ＨＴＭＬ）のウェブページを提供できる。
【００８３】
上述の技術を使用するか記憶装置から、データが得られた後、計算処理システムは、開示技術の１つ以上の実施形態を実行する際に、得られたデータから１つ以上のデータ項目を抽出できる。例えば、抽出は、図８の計算処理システム（８００）によって以下のように実行されうる。最初に、位置（例えば、ビット又は列位置、データストリーム内の第Ｎトークンなど）、属性（属性は１つ以上の値と関連付けられる）、又は階層／木構造（入れ子パケットヘッダや入れ子ドキュメントセクションなどの様々な詳細レベルのノード層からなる）の１つ以上に基づきうる、データの編成パターン（例えば、文法、スキーマ、配置）が決定される。次に、データシンボルの生の未処理ストリームが、編成パターンのコンテキストで、トークン（各トークンが関連トークン「タイプ」を有することがある）のストリーム（又は、層構造）にパーズされる。
【００８４】
次に、トークンストリーム又は構造から１つ以上のデータ項目を抽出するために抽出基準が使用され、この抽出基準は、１つ以上のトークン（又は、階構造からノード）を抽出するために編成パターンに従って処理される。位置ベースデータの場合、抽出基準によって識別される位置にあるトークンが抽出される。属性／値ベースデータの場合、抽出基準を満たす属性と関連付けられたトークン及び／又はノードが抽出される。階層的／層状データには、抽出基準と一致するノードと関連付けられたトークンが抽出される。抽出基準は、識別子文字列と同じくらい単純でもよく、構造化データリポジトリに提示されるクエリでもよい（データリポジトリは、データベーススキーマ又はＸＭＬなどのデータ形式に従って編成されうる）。
【００８５】
抽出されたデータは、計算処理システムによって更なる処理のために使用されうる。例えば、図８の計算処理システムは、開示技術の１つ以上の実施形態を実行している間に、データ比較を実行できる。データ比較を使用して２つ以上のデータ値（例えば、Ａ、Ｂ）を比較する。例えば、１つ以上の実施形態は、Ａ＞Ｂか、Ａ＝Ｂか、Ａ！＝Ｂか、Ａ＜Ｂかなどを決定できる。この比較は、Ａ、Ｂ、及び比較に関連した演算を指定する演算コードを、演算論理ユニット（ＡＬＵ）（即ち、２つのデータ値に演算及び／又はビット単位論理演算を実行する回路）に送ることによって実行されうる。ＡＬＵは、演算の数値結果及び／又は数値結果に関連した１つ以上の状態フラグを出力する。例えば、状態フラグは、数値結果が、正の数、負の数、ゼロかどうかなどを示しうる。演算コードを適切に選択し、次に数値結果及び／又は状態フラグを読み取ることによって、比較が行われうる。例えば、Ａ＞Ｂかどうかを決定するために、ＢをＡから減算して（即ち、Ａ−Ｂ）、状態フラグを読み取って、結果が正であるかどうかを決定できる（即ち、Ａ＞Ｂの場合はＡ−Ｂ＞０）。１つ以上の実施形態では、Ｂがしきい値と見なされてもよく、ＡＬＵを使用して決定されるように、Ａは、Ａ＝Ｂの場合又はＡ＞Ｂの場合にしきい値を満たすと考えられうる。開示技術の１つ以上の実施形態では、ＡとＢはベクトルでよく、ＡをＢと比較するには、ベクトルＡの第１の要素とベクトルＢの第１の要素との比較、ベクトルＡの第２の要素とベクトルＢの第２の要素との比較などが必要である。１つ以上の実施形態で、ＡとＢが文字列の場合、文字列の２進値が比較されうる。
【００８６】
図８の計算処理システムは、データリポジトリを実装してもよくかつ／又はデータレポジトリに接続されてもよい。例えば、データリポジトリのひとつのタイプは、データベースである。データベースは、データの検索、修正、再構成及び削除を容易するように構成された情報の集合である。データベース管理システム（ＤＢＭＳ）は、ユーザがデータベースを定義、作成、照会、更新、又は管理するためのインタフェースを提供するソフトウェアアプリケーションである。
【００８７】
図８の計算処理システムは、比較や他の処理の結果など、生及び／又は処理済みデータを提示する機能を有しうる。例えば、データの提示は、様々な提示方法によって達成されうる。具体的には、データは、計算処理装置によって提供されるユーザインタフェースによって提示されうる。ユーザインタフェースは、ハンドヘルドコンピュータ装置上のコンピュータモニタやタッチスクリーンなどの表示装置上に情報を表示するＧＵＩを含みうる。ＧＵＩは、何のデータが示されまたデータがユーザにどのように提示されるかを編成する様々なＧＵＩウィジェットを含みうる。更に、ＧＵＩは、データを直接ユーザに提示してもよく、例えば、テキストによって実際のデータ値として提示されるデータ、又は、計算処理装置によってデータモデルの視覚化などによってデータの視覚表現に描写されるデータを提示してもよい。
【００８８】
例えば、ＧＵＩは、最初に、特定のデータオブジェクトがＧＵＩ内に提示されることを要求するソフトウェアアプリケーションから通知を得る。次に、ＧＵＩは、特定のデータオブジェクトと関連付けられたデータオブジェクトタイプを、例えば、データオブジェクト内の、データオブジェクトタイプを識別するデータ属性からデータを得ることによって決定できる。次に、ＧＵＩは、そのデータオブジェクトタイプを表示するために指定され任意の規則、例えば、データオブジェクトクラスのソフトウェアフレームワークによって指定された規則、又はそのデータオブジェクトタイプを提示するためにＧＵＩによって定義された任意のローカルパラメータによる規則を決定できる。最後に、ＧＵＩは、特定のデータオブジェクトからデータ値を取得し、データ値の視覚的表現を、そのデータオブジェクトタイプに指定された規則に従って表示装置内に描写できる。
【００８９】
データは、様々な音声再生方法によって提示されうる。詳細には、データは、音声形式にされ、計算処理装置に動作的に接続された１つ以上のスピーカによって音として提示されうる。
【００９０】
データは、触覚方法によってユーザに提示されてもよい。例えば、触覚方法は、計算処理システム（８００）によって生成された振動や他の物理的信号を含みうる。例えば、データは、ハンドヘルドコンピュータ装置によって生成された、データを通信するために振動の所定の持続時間と強度を有する振動を使用してユーザに提示されうる。
【００９１】
機能の以上の説明は、図８の計算処理システム（８００）によって実行される機能のわずかな例を提示するに過ぎない。他の機能は、開示技術の１つ以上の実施形態を使用して実行されうる。
【００９２】
開示技術を限られた数の実施形態に関して述べたが、この開示技術の利益を有する当業者は、本明細書に開示されたような開示技術の範囲から逸脱しない他の実施形態が考案されうることを理解するであろう。従って、開示技術の範囲は、添付された特許請求の範囲によってのみ限定されるべきである。
【符号の説明】
【００９３】
２００  電子システム
２１０  処理システム
２２１、２２２、２２３  表示画素
２２６  トランスミッタ電極
２２７  レシーバ電極
２３１、２３２  デマルチプレクサ
２４１、２４２  マルチプレクサ
２５０  センサモジュール
２６０  決定モジュール
２７０  表示装置
２８０  ホスト装置
２８１  図形処理ユニット
２８２  ユーザインタフェース
【図１】
2019194676.tif 000003
【図２】
2019194676.tif 000004
【図３Ａ】
2019194676.tif 000005
【図３Ｂ】
2019194676.tif 000006
【図４】
2019194676.tif 000007
【図５】
2019194676.tif 000008
【図６】
2019194676.tif 000009
【図７】
2019194676.tif 000010
【図８】
2019194676.tif 000011
【外国語明細書】
2019194676000001.pdf